(57)【要約】 【課題】串刺し食品を食した後に発生する使用済みの串を目視不能の状態で体裁良く簡易に収容状態に廃棄できると共に、串スタンド機能も有する串処理具を提供する。【解決手段】使用済みの串３の全体を、一方向に略揃えられた状態で順次収容させ得る収容空間５が内部に設けられた収容器６を具える。収容器６の上部分９を斜めに貫通する状態で串挿入孔１２が設けられている。串挿入孔１２に串を斜めに挿入することにより、串３を収容空間５に落下させて収容状態とする。収容器６の上部分９に、串刺し食品の端部分を挿入させる支持孔２０を有する。【選択図】図１
2010132389.tif 000002
【特許請求の範囲】
【請求項１】
使用済みの串の全体を、一方向に略揃えられた状態で順次収容させ得る収容空間が内部に設けられてなる収容器を具え、該収容器の上部分に、該串を該収容空間に斜めに挿入させることができ該串を該収容空間に落下させて収容状態となすための串挿入孔が、該上部分を斜めに貫通して設けられており、該串挿入孔は、前記収容器の上面側に、下方に傾斜して串を案内する上の傾斜串案内溝が設けられると共に、該収納器の下面側には、該上の傾斜串案内溝と直線状に連なる如く、下方に傾斜して串を案内する下の傾斜串案内溝が設けられていることを特徴とする串処理具。
【請求項２】
使用済みの串の全体を、一方向に略揃えられた状態で順次収容させ得る収容空間が内部に設けられてなる収容器と、該収容器内に分離可能に収容され且つ該使用済みの串を受ける串受け皿とを具える串処理具であって、
該収容器は、上部分の両側に側壁部分が設けられて下端が開放されてなり、該収容器の該上部分に、前記串を該収容空間に斜めに挿入させることができ該串を該収容空間に落下させて収容状態となすための串挿入孔が、該上部分を斜めに貫通して設けられており、該串挿入孔は、前記収容器の上面側に、下方に傾斜して串を案内する傾斜串案内溝が設けられると共に、該収納器の下面側には、該上の傾斜串案内溝と直線状に連なる如く、下方に傾斜して串を案内する下の傾斜串案内溝が設けられていることを特徴とする串処理具。
【請求項３】
前記収容器は、横断面が上に凸の半円形状を呈して下端が開放しており、該下端の開放幅は、該収容器の内径よりも小さく設定されており、又、前記串受け皿の横幅は該開放幅よりも大きく形成されており、該収容器を持ち上げたときに該串受け皿の両縁部分が該収容器の内周面の両側部分で下方から支持されることを特徴とする請求項２記載の串処理具。
【請求項４】
前記串受け皿の両縁部分が前記収容器の内周面の両側部分で下方から支持された状態で該串受け皿が該収容器の周方向に回転するのを防止する回り止め係合部を、該内周面の下部に設けたことを特徴とする請求項３記載の串処理具。
【請求項５】
前記串受け皿の両縁部分が該収容器の内周面の両側部分で下方から支持された状態で、該串受け皿の下端部分が前記収容器の下端から下方に突出し、該収容器を設置面に載置したときに該串受け皿の該両縁部分が該収容器の内周面の両側部分から浮き上がることを特徴とする請求項３又は４記載の串処理具。
【請求項６】
前記収容器は竹材を用いて構成されており、前記串挿入孔は、前記収容器の上部分に上下方向に貫通する如く設けられた貫通孔に、前記収容器の上面側で上の傾斜串案内溝が連設されると共に、該収容器の下面側で、該貫通孔に前記下の傾斜串案内溝が連設されてなることを特徴とする請求項１〜５の何れかに記載の串処理具。
【請求項７】
前記収容器の上部分に、串刺し食品の串の端部分を挿入させて該串刺し食品を立てた状態で支持するための支持孔が設けられていることを特徴とする請求項１〜６の何れかに記載の串処理具。
【発明の詳細な説明】
【技術分野】
【０００１】
本発明は、串刺し食品を食した後に発生する使用済みの串を目視不能の状態で体裁よくしかも簡易に収容状態に廃棄し得る串処理具に関するものである。又、串刺し食品をその串を立てた状態で支持できる串スタンド機能をも有する串処理具に関するものである。
【背景技術】
【０００２】
干物や野菜、魚肉、畜肉等の食品に串を刺してなる串刺し食品にあっては、この食品を適宜加熱調理して食した後に使用済みの串が廃棄物として発生する。
【０００３】
食事中に発生する使用済みの串は、テーブルに設置したコップに立てて収容したり、皿に並べたりすることがよく見掛けられるが、使用済みの串が丸見えの状態でテーブルにあることは食事の雰囲気を損なう問題があった。
【０００４】
このような問題点を多少なりとも改善せんとして、上端が開放したステンレス製等の筒体を用い、この筒体に串を立てた状態で収容するように構成された焼き串収納スタンドが実開平６−５８８４４号公報で提案されている。又、竹串の先端側を突き刺すための蜂の巣状の本体の上部にロート形の覆いを取り付け、該ロート形の覆いの表面に装飾を施してなる竹串処理器が特開２００２−１９９０２号公報で提案されている。しかしながら、かかる従来の使用済みの串の処理具は、串の全体を目視不能の状態で収容させるものではなく使用済みの串がいつも目につく収容状態となる不具合があったため、食事の雰囲気を損なうことに変わりがなかった。
【０００５】
又、ドーム状のスタンドの上面に設けられた多数個の支持孔に、串刺し食品をその串の端部分を挿入することによって、該串刺し食品を立てた状態で支持できるようにした串用スタンドが実開平４−８６４６９号公報で開示されている。かかる串用スタンドによるときは、多くの串刺し食品を立てた状態にして提供できる利点はあったが、料理を食した後に発生する使用済みの串を目視不能の状態で体裁良くしかも簡易に収容廃棄するための串処理手段は何ら具えていなかった。
【０００６】
【特許文献１】実開平６−５８８４４号公報
【特許文献２】特開２００２−１９９０２号公報
【特許文献３】実開平４−８６４６９号公報
【発明の開示】
【発明が解決しようとする課題】
【０００７】
本発明は、串刺し食品を食した後に発生する使用済みの串を目視不能の状態で体裁よくしかも簡易に収容状態に廃棄できて食事の雰囲気を向上させ得ると共に、使用済みの串を一方向に略揃えられた状態で順次収容できて串の始末も容易である串処理具の提供を課題とするものである。
【０００８】
又、このように串を収容状態に廃棄できることに加えて、串刺し食品をその串を立てた状態で支持できる串スタンドとしても機能し得る串処理具の提供を課題とするものである。
【課題を解決するための手段】
【０００９】
前記課題を解決するため本発明は以下の手段を採用する。
【００１０】
即ち本発明に係る串処理具は、使用済みの串の全体を、一方向に略揃えられた状態で順次収容させ得る収容空間が内部に設けられてなる収容器を具え、該収容器の上部分に、該串を該収容空間に斜めに挿入させることができ該串を該収容空間に落下させて収容状態となすための串挿入孔が、該上部分を斜めに貫通して設けられており、該串挿入孔は、前記収容器の上面側に、下方に傾斜して串を案内する上の傾斜串案内溝が設けられると共に、該収納器の下面側には、該上の傾斜串案内溝と直線状に連なる如く、下方に傾斜して串を案内する下の傾斜串案内溝が設けられていることを特徴とするものである。
【００１１】
本発明に係る串処理具のより好ましい態様は、使用済みの串の全体を、一方向に略揃えられた状態で順次収容させ得る収容空間が内部に設けられてなる収容器と、該収容器内に分離可能に収容され且つ該使用済みの串を受ける串受け皿とを具える串処理具である。該収容器は、上部分の両側に側壁部分が設けられて下端が開放されてなり、該収容器の該上部分に、前記串を該収容空間に斜めに挿入させることができ該串を該収容空間に落下させて収容状態となすための串挿入孔が、該上部分を斜めに貫通して設けられており、該串挿入孔は、前記収容器の上面側に、下方に傾斜して串を案内する傾斜串案内溝が設けられると共に、該収納器の下面側には、該上の傾斜串案内溝と直線状に連なる如く、下方に傾斜して串を案内する下の傾斜串案内溝が設けられていることを特徴とするものである。
【００１２】
下端が開放されてなる収容器を具える前記串処理具において、前記収容器は、横断面が上に凸の半円形状を呈して下端が開放しており、該下端の開放幅は、該収容器の内径よりも小さく設定され、又、前記串受け皿の横幅は該開放幅よりも大きく形成されたものとし、該収容器を持ち上げたときに該串受け皿の両縁部分が該収容器の内周面の両側部分で下方から支持される如くなし、該収容器を設置面に載置したときに該串受け皿の該両縁部分が該収容器の内周面の両側部分から浮き上がるように構成するのがよい。
【００１３】
このように構成する場合、前記串受け皿の両縁部分が前記収容器の内周面の両側部分で下方から支持された状態で該串受け皿が該収容器の周方向に回転するのを防止する回り止め係合部を、該内周面の下部に設けるのがよい。
【００１４】
下端が開放されてなる収容器を具える前記串処理具において、前記串受け皿の両縁部分が該収容器の内周面の両側部分で下方から支持された状態で、該串受け皿の下端部分が前記収容器の下端から下方に突出し、該収容器を設置面に載置したときに該串受け皿の該両縁部分が該収容器の内周面の両側部分から浮き上がるように構成するのがよい。
【００１５】
前記した各串処理具において、前記収容器を竹材を用いて構成する場合は、前記串挿入孔は、前記収容器の上部分に上下方向に貫通する如く設けられた貫通孔に、前記収容器の上面側で上の傾斜串案内溝が連設されると共に、該収容器の下面側で、該貫通孔に前記下の傾斜串案内溝が連設されたものとして構成するのがよい。
【００１６】
前記した各串処理具において、前記収容器の上部分に、串刺し食品の串の端部分を挿入させて該串刺し食品を立てた状態で支持するための支持孔を設けるのがよい。
【発明の効果】
【００１７】
本発明は以下の如き優れた効果を奏する。
(1) 本発明に係る串処理具によるときは、串刺し食品を食した後に発生する使用済みの串を、収容器の内部に設けられている収容空間に目視不能の状態で体裁良くしかも簡易に収容状態に廃棄でき、食事の雰囲気を向上させることができる。
【００１８】
そして、収容器の上部分に設けられている串挿入孔は該上部分を斜めに貫通して設けられており、直線状に連なる上下の傾斜串案内溝を有するため、挿入する串を、該上下の傾斜串案内溝に案内された状態で収容器の軸線方向に斜め下方に方向付けされて安定状態で挿入させることができる。かかることから、収容空間に順次収容された串を一方向に略揃えられた状態となし得る。使用済みの串が、このように一方向に略揃えられた状態で収容されることから、その後における串の始末が容易となる。
【００１９】
そして該串を、上下の傾斜串案内溝に案内させて挿入させ得ることから、串を、より水平に近い傾斜状態にして挿入させることができる。かかることから、収容空間の深さがそれほど深いものでなくても串を無理なく収容空間に挿入させることができ、収容器をよりコンパクトに構成できることとなる。
【００２０】
又、収容器の上部分に、串の端部分を挿入させる支持孔を設ける場合は、串処理具に、串刺し食品を見栄えよく盛り付けるための串スタンド機能を付与することができ、串処理具の利便性を向上させることができる。
【００２１】
(2) 本発明に係る串処理具を、収容器と、該収容器に分離可能に収容され且つ使用済みの串を受ける串受け皿とを具える如く構成する場合は、収容空間に収容された串を、一方向に略揃った状態で該串受け皿の受面にまとめた状態となし得、その後における串の廃棄を容易化し得る。
【００２２】
(3) 特に収容器を、横断面が上に凸の半円形状を呈し且つ下端が開放しており、該下端の開放幅を、該収容器の内径よりも小さく設定し、又、串受け皿の横幅を該開放幅よりも大きく設定するときは、該収容器を持ち上げたときに該串受け皿の両側縁部分が該収容器の内周面の両側部分で下方から支持された状態となし得る。そのため、図２１に示すようなガイド溝７０を特別に設けることなく簡易な係合支持によって収容器と串受け皿とを一体化でき、この状態で両者を同時に持ち上げて運搬できる利点がある。
【００２３】
特に、該串受け皿の両側縁部分が該収容器の内周面の両側部分で下方から支持された状態で、該串受け皿の下端部分が該収容器の下端から下方に突出する如く構成するときは、収容器と串受け皿が個別に設置面に設置されることになる。かかることから、該串受け皿の上側に形成される収容空間の深さ（上下長さ）を極力大きく設定できる利点がある。
【００２４】
例えば図１９に示すように、収容器６を持ち上げたときに串受け皿７の両側縁部分３３，３３が該収容器６の内周面３５の両側で下方から支持された状態とはなっても、その際に該串受け皿７の下端６９が収容器６の下端１１の上側に位置するように構成した場合は、該串受け皿の上側に形成される収容空間の深さ（上下長さ）が、該串受け皿が設置面に設置する場合に比し小さくなってしまう。このようになると、収容する串の長さが長い場合は、串を稍撓んだ状態で挿入させなければならない等、円滑に挿入させ難い場合が生ずるが、前記のように構成するときは、このような問題点を招来しにくい利点がある。
【００２５】
又このように、収容器を持ち上げたときに、受け皿の両側縁部分が該収容器の内周面の両側部分で下方から支持される如く構成するときは、該串受け皿が収容器の軸線回りに回転する恐れがあるが、該収容器の内周面の下部に回り止め係合部を設けるときは、このような回転を確実に防止できて収容器と串受け皿の運搬をより安全に行い得ることとなる。  
【００２６】
(4) 前記収容器を竹材を用いて構成する場合、前記串挿入孔を形成するに際して、先ず、前記収容器の上部分に上下方向に貫通する如く貫通孔を設け、該貫通孔に、前記収容器の上面側で上の傾斜串案内溝が連設されたものとすると共に、該収容器の下面側で、該貫通孔に前記下の傾斜串案内溝が連設されたものとして構成するときは、前記上部分を斜めに貫通する串挿入孔を、ドリルに滑りを発生させることなく容易且つ精度よく形成できる。
又、収容器を竹材を用いて構成するため、間伐竹等の竹の廃材を材料にして収容器を形成することができるため、竹林の保全にも寄与することとなる。
【実施例１】
【００２７】
図１〜４は、本発明に係る串処理具１を示すもので、串スタンドとしての機能も有している。該串処理具１は、干物や野菜、魚肉、畜肉等の食品に串を刺してなる串刺し食品２を適宜加熱調理して食した後に発生する使用済みの串３を目視不能に収容可能とするものであり、該串３の全体を、一方向に揃えられた状態で順次収容させ得る収容空間５が内部に設けられてなる収容器６と、該収容器６内に分離可能に収容され且つ該串３を受ける串受け皿７とを具えている。
【００２８】
該収容器６は本実施例においては図１に示すように、上部分９の両側に側壁部分１０，１０が設けられて下端１１が開放されてなり、該収容器６の該上部分９の左右両側に位置させて、前記串３を該収容空間５に斜めに挿入させることができ該串３を該収容空間５に落下させて収容状態となすための串挿入孔１２が、該上部分９を斜めに貫通して設けられている。そして該串挿入孔１２は、前記収容器６の上面側１３に、下方に傾斜して串を案内する上の傾斜串案内溝１５が設けられると共に、該収容器６の下面側１６には、該上の傾斜串案内溝１５と直線状に連なる如く、下方に傾斜して串を案内する下の傾斜串案内溝１７が設けられている。そして該収容器６の上部分９の上面側１３に、串刺し食品２の串３の端部分（摘み部となる端部分）１９を挿入させて該串刺し食品２を立てた状態に支持する支持孔２０が多数設けられてなり、串スタンドを兼用するようになされている。
【００２９】
かかる構成を有する収容器６は、例えば、竹材を節間で所定長さに切断してなる、軸線方向に比較的長い円筒体２１を用いて形成できる。図５は、該円筒体２１の一例を示すものである。該円筒体２１を、図５に一点鎖線で示すように、その直径の２／３程度の部位２２で円筒体軸線方向にカットすることによって、図２に示すような、横断面が上に凸の半円形状を呈し且つ下端１１が開放された馬蹄形の半割り筒状をなす収容器６を形成できる。前記円筒体２１の内径は例えば８０ｍｍ程度とされ、その長さは、前記串挿入孔１２を通して挿入された串３が落下して収容された状態で該串３の全体を収容できる長さに設定される。例えば２００ｍｍ程度に設定される。又、前記下端１１の開放幅Ｌ１（図４（Ｃ））は、前記円筒体２１の内径よりも小さい。
【００３０】
かかる構成を有する収容器６は、図４（Ａ）、図１に示すように、両下端面２３，２３をテーブル面等の設置面２５に当接させて該設置面２５に載置された状態で、該収容器６の内部に、串３を収容させるための深い（上下長さの大きい）前記収容空間５が形成されることとなる。
【００３１】
そして、該収容器６の上部分９の左右両側に位置させて、図１（Ｂ）に示すように、前記串３を該収容空間５に斜めに挿入させることができ該串３を該収容空間５に落下させて収容状態となすための串挿入孔１２が、該上部分９を斜めに貫通して設けられている。
【００３２】
該串挿入孔１２を形成するに際しては、本実施例においては先ず図１（Ｃ）に示すように、ドリルを用いて上下方向に、例えば円形状乃至楕円形状の貫通孔２６を設ける。図１（Ｃ）においては円形状の貫通孔を設けている。その後、該貫通孔２６に挿通状態にあるドリルを斜めにして、該貫通孔２６の、該収容器６の長さ方向の両端２７，２９側で、図１（Ｂ）に示すように、収容器６の上面側１３に連なるように、内方に向け下方に傾斜し且つ横断面が円弧状を呈する前記上の傾斜串案内溝１５を設けると共に、収容器６の下面側１６に連なるように、内方に向け下方に傾斜し且つ横断面が円弧状を呈する前記下の傾斜串案内溝１７を該上の傾斜串案内溝１５と直線状に連なる如く設ける。このようにして串挿入孔を設けるときは、該収容器６が竹材で形成されてその上面側１３が滑りやすいものではあるが、ドリルの先端が該上面側１３を滑る恐れなく、前記上部分９を斜めに貫通する串挿入孔１２を容易且つ精度よく形成できることとなる。なお、該串挿入孔１２の径は、串に食べ滓が多少残っていてもこれを挿入させ得る大きさに設定するのがよい。前記貫通孔２６の直径は例えば８ｍｍ程度とする。
【００３３】
本実施例において該串処理具１は、前記のように串スタンド機能を有するように構成されているが、そのために図１（Ａ）、図３（Ｂ）に示すように、前記上部分９の上端３０の、前記左右両側の串挿入孔１２，１２間の部分と、該上端３０の、収容器６の周方向で見た両側において、串刺し食品２の串３の端部分（摘み部となる端部分）１９を挿入させて該串刺し食品２を立てた状態に支持する支持孔２０が、該収容器６の長さ方向に所要間隔を置いて（例えば３０ｍｍ程度の間隔を置いて）並設されている。この間隔は、立てた状態の串刺し食品２，２相互が接触しないように、例えば３０ｍｍに設定される。
【００３４】
図３は、甘エビやカレイ、ハタハタ等の干物の串刺し食品２を、その串３の端部分（摘み部となる端部分）１９を前記支持孔２０に挿入して立てた状態を示すものである。
【００３５】
一方前記串受け皿７は図１（Ａ）、図３に示すように、前記円筒体２１を用いて形成できる。図１、図４はその一例を示すものであり、該円筒体２１を前記のようにカットして形成された残余部分を以て形成されており、その長さは前記収容器６の長さに等しく、その横断面は、下に凸の円弧状を呈しており、その上面は、円弧状に凹んだ受面３１とされている。そして、該串受け皿７の両側面は、外方に向け下方に傾斜する傾斜面３２，３２とされている。
【００３６】
又図４（Ｂ）に示すように、該串受け皿７の横幅Ｌ２は前記開放幅Ｌ１よりも大きく形成されているため、前記収容器６を持ち上げたときには、図４（Ｃ）に示すように、該串受け皿７の両側縁部分（本実施例においては、前記傾斜面３２，３２の下縁３４，３４）３３，３３が該収容器６の内周面３５の両側部分３６，３６で下方から支持される。本実施例においては、図４（Ｃ）に示すように、該串受け皿７の下端部分３８が前記収容器６の前記下端１１から下方に突出する如くなされ、該収容器６を前記設置面２５に載置したときには、図４（Ａ）に示すように、該串受け皿７の該両縁部分３３，３３が、該収容器６の内周面３５の両側部分３６，３６から浮き上がる。
【００３７】
前記のようにして串刺し食品２を立てた状態に支持してなる串処理具１を用いて料理を提供するに際しては、例えば、前記串受け皿７を前記収容器６内に収容して該収容器６の上端両側部分３７，３７（図３）を手で持ってテーブル等に運ぶことにより、串刺し食品２が支持された収容器６と串受け皿７とを一体化状態で同時に運搬できる。そして、該収容器６をテーブル面等の設置面２５に載せると、図４（Ａ）に示すように、該串受け皿７の両縁部分３３，３３が収容器６の内周面３５の両側部分３６，３６から浮き上がることになり、該収容器６と串受け皿７とが該設置面２５に同時に載置されることになる。そしてこの状態で、該串受け皿７の前記受面３１は前記左右両側の串挿入孔１２，１２の下側に存し、該受面３１の上側に、深さの大なる前記収容空間５が形成されることとなる。
【００３８】
この状態で、好みの串刺し食品２をその串３を持ち上げて前記支持孔２０から取り外し、甘エビ等を食するのであるが、このように食した後に発生した使用済みの串３は、図６（Ａ）〜図６（Ｄ）に示すように前記串処理具１に収容状態に廃棄する。そのために、先ず図６（Ａ）に示すように、該串３の先側部分３９を前記串挿入孔１２に挿入する。この状態で該串３は、その下端側の部分４０が前記下の傾斜串案内溝１７の溝底４１に接すると共に、それより上側の部分４２が前記上の傾斜串案内溝１５の溝底４３に接した状態となる。前記のように、上下の傾斜串案内溝１５，１７が直線状に連なる如く形成されていることから、串３を、該串挿入孔１２に、より水平に近い傾斜状態で挿入させることができる。この挿入は、該串３が、上下の傾斜串案内溝１５，１７に案内されて、収容器６の軸線方向に斜め下方に方向付けされて安定的に行われる。
【００３９】
該串３を更に押し込むと、図６（Ｂ）に示すように、該串３が、前記上の傾斜串案内溝１５の溝底４３に案内されつつ前記収容空間５に、前記収容器６の内方に向け軸線方向に進入して行く。その後、該串３の下端４５が前記串受け皿７の受面３１に載った状態となる。
【００４０】
該串３を、図６（Ｂ）に矢印で示すように更に押し込むと、該串の下端４５が該受面３１をその長さ方向に先側に移動し、串の上部分４６が上の傾斜串案内溝１５に納まった状態となる。その後、該串の上端４７を指先で押し込むと該串の下端４５が受面３１を更に先側に移動し、図６（Ｃ）に示すように、該串３の上端４７が上の傾斜串案内溝１５の下端縁４９近傍に支持された状態となる。この状態で該上端４７を押し込むと、該串３は、該上端４７が該上の傾斜串案内溝１５の下端縁４９を外れて、図６（Ｄ）に示すように、受面３１上に落下する。串３が落下したことは、そのときの落下音で確認できることから、この落下操作に一種の面白さがあり遊び心を満足させることにもなる。このように落下した串３は、図６（Ｄ）に示すように、串受け皿７の長さ方向に延長した状態で該串３の全体が該受面３１で受けられた状態となる。これにより串３は、収容器６の収容空間５内に目視不能な状態で収容されることになる。
【００４１】
図７（Ａ）は、別の串３を串挿入孔１２に押し込んでその下端４５を前記受面３１に載せた状態を示すものであり、該串３を更に押し込むことにより、前記と同様にして該受面３１上に落下させることができる。図７（Ｂ）はその落下状態を示すものであり、収容された串３の長さ方向は受面３１の長さ方向に略揃えられている。このようにして次々と串３を串挿入孔１２に挿入して落下させることにより、全ての串を、一方向に略揃った状態で該受面３１に載せることができ、これらの串の全体を目視不能に収容空間５に収容状態に廃棄できることになる。このように目視不能に収容状態に廃棄させ得ることから、食事の雰囲気を向上させることができる。
【００４２】
食事が終わった後の後片付けに際しては、例えば図４（Ｃ）に示すように収容器６を持ち上げると、串受け皿７の両縁部分３３，３３が前記収容器６の内周面３５の両側部分３６，３６で下方から支持された状態となり、該収容器６と串受け皿７とを自ずから一体化させ得るため、後片付けを能率的に行うことができる。そして串受け皿７には、例えば図８に示すように、多数本の串３が一方向に略揃った状態にあるため串の始末も容易である。
【００４３】
本実施例においては前記のように、前記収容器６を持ち上げたときに前記串受け皿７の両縁部分３３，３３が該収容器６の内周面３５の両側部分３６，３６で下方から支持され、この係合支持状態で、該串受け皿７の下端部分３８が前記収容器６の下端１１から下方に突出する如くなされているため、該収容器６を持ち上げた状態においては、図４（Ｃ）に示すように、両者を一体化状態になし得る。一方、収容器６を設置面２５に載置した状態においては図４（Ａ）に示すように、該串受け皿７の両縁部分３３，３３が該収容器６の内周面３５の両側部分３６，３６から浮き上がった状態になり、該串受け皿７の受面３１の上側に深い（上下長さの大きい）収容空間５を形成できることになる。
【００４４】
かかる構成の串処理具１によるときは、収容器６を持ち上げたときに串受け皿７も持ち上げられ両者を同時に運搬できる利点があるが、運搬時の揺動によって該串受け皿７が該収容器６の内周面３５の周方向に回転し該串受け皿７が該収容器６から外れてしまう恐れがある。そこで本実施例においては、これを回り止め係合部５０を用いて防止している。  
【００４５】
該回り止め係合部５０は、本実施例においては、図１〜２、図４に示すような回り止め係合部材５１を用いて構成されている。該回り止め係合部材５１は、前記収容器６の両側壁部分１０，１０の下端寄りの例えば両端側に設けられた孔部５２，５２に挿入されて前記収容空間５に若干突出状態となる軸体５３の外端に、該孔部５２からの取り外しを容易とする摘まみ片５５が設けられている。図４（Ａ）、図４（Ｂ）においては、該摘まみ片５５を前記収容器６の両側壁部分１０，１０の外面５６，５６に当接させた状態で該軸体５３の先端部分５７が前記収容空間５の前記内周面３５の下部５４に若干突出した状態を示しており、該突出した先端部分５７が前記回り止め係合部５０を構成している。
【００４６】
然して、運搬時の揺動等によって前記串受け皿７が前記収容器６の内周面３５の周方向に回転したときは、図９（Ａ）に示すように、該軸体５３が形成する回り止め係合部５０が該串受け皿７の側縁部分５８の下面５９を下方から支持して該串受け皿７が一定以上に回転するのが阻止され、該串受け皿７が該収容器６から外れて落下する事態が回避されることとなる。
【００４７】
なお該串受け皿７を前記収容器６から取り外すに際しては、例えば、図１に示すように、該収容器６と該串受け皿７とが設置面２５に同時に載置された状態として後、該収容器６をその軸線方向（矢印Ｆ方向）に移動させることによって、該串受け皿７を該収容器６から容易に取り外すことができる。或いは図９（Ｂ）に示すように、該串受け皿７を収容器６の周方向に稍回転させて前記側縁部分５８の下面５９と前記回り止め係合部５０との係合状態を解除することにより、容易に行うことができる。このように両者を分離することにより、収容された串３の始末を簡便に行うことができ、又、串受け皿７を取り外して収容器６と串受け皿７とを個別に洗浄できる。
【００４８】
図１０は、前記収容器６と串受け皿７を、例えば干物に串を刺し込んでなる串刺し食品と一体にして土産品として販売する場合の包装形態を示すものであり、図１０（Ａ）は、上方に開口した収容器６内に前記串受け皿７をその受面３１を上向きにして収納し、該受面３１上に形成される収納空所に所要本数の串刺し食品を包装したもの６０を収納した状態を示すものである。又図１０（Ｂ）は、上方に開口した収容器６内に所要本数の串刺し食品を包装したもの６０を収納すると共に、その上に前記串受け皿７をその受面３１を下にして被せた状態を示すものである。これらを適宜包装して土産品として販売できる。
【００４９】
このように土産品として販売する場合、前記収容器６に設けられている夫々の支持孔２０に、図３（Ａ）に示すと同様にして串刺し食品を立てた盛り付け状態で包装箱に詰めて販売することもできる。
【００５０】
購入者が家庭などで串刺し食品を食するに際しては、該串刺し食品を電子レンジ等で適宜加熱調理した後、収容器６内に串受け皿７を収容した状態で、図３（Ａ）に示すと同様に、該収容器６の上部分に設けられている支持孔２０に串３の端部分１９を挿入することによって該串刺し食品２を立てた状態に支持させると、串刺し料理を見栄えよく盛り付けできる。料理を食した後に発生した使用済みの串３は、前記と同様にして串挿入孔１２を通して収容空間５に収容すれば、串３は目視不能に収容状態に廃棄されることとなり、良好な雰囲気で食事ができることになる。本実施例においては、串挿入孔１２を収容器６の上部分９の左右両側に設けているため、両串挿入孔１２，１２を同様に使用できる。かかることから、例えば向かい合って食事をする場合に便利である他、右利きの人に対しても左利きの人に対しても都合がよい。
【００５１】
本発明に係る串処理具１は前記のように、串挿入孔１２が、直線状に連なる上下の傾斜串案内溝１５，１７を設けられてなるものであるが、串挿入孔１２を、上下方向の貫通孔としてのみ構成したり、上下の傾斜串案内溝１５，１７の一方しか具えないものとして構成したときは、次のような問題を招来することとなって好ましくない。
【００５２】
図１１は、上下に貫通した孔６１ａとして形成された串挿入孔６１を示すものであり、図１２は、該貫通した孔６１ａに前記上の傾斜串案内溝１５は連設されているが、前記下の傾斜串案内溝１７は設けられていない串挿入孔６１を示し、又図１３は、該貫通した孔６１ａに前記下の傾斜串案内溝１７は連設されているが、前記上の傾斜串案内溝１５は設けられていない串挿入孔６１を示している。このように構成したときは、いずれの場合も、串挿入孔６１に挿入させた串３が、該貫通した孔６１ａの上下の周縁６２，６３に当たって（図１１）、該下の縁６３に当って（図１２）、或いは該上の縁６２に当って（図１３）、水平面に対して大きな角度θで収容空間５に挿入された状態となり、それ以上には挿入できない。従って、該収容空間５を余程深く形成しない限り、即ち、収容器６の上下高さを余程大きくしない限り、該串３を該収容空間５に落下、収容させることができなくなるため好ましくない。或いは、該串挿入孔６１を図１４に示すように、収容器６の長さ方向に延長する溝状に長く形成せざるを得ず、このように構成する場合は、収容空間に収容されている串が不必要に見える恐れもあって好ましくない。
【実施例２】
【００５３】
図１５は、前記した串スタンド機能を有さない串処理具１の一実施例を示すものであり、竹材を半割りしてなる半割り筒状を呈する収容器６を用いて構成されており、串刺し食品を立てた状態に支持する前記支持孔２０は設けられていない。
【００５４】
該収容器６は、前記と同様に、使用済みの串３を一方向に略揃えられた状態で順次収容させ得る収容空間５を内部に具えており、該収容器６の上部分９の左右両側に位置させて串挿入孔１２，１２が、該上部分９を斜めに貫通する如く設けられている。本実施例においては前記と同様に、該串挿入孔１２を形成するに際しては、先ず図１５（Ｃ）に示すように、該上部分９に、上下方向に例えば円形の貫通孔２６を設け、該貫通孔２６の、該収容器６の長さ方向の両端２７，２９側で、図１５（Ｂ）に示すように、収容器６の上面側１３に連なるように、内方に向け下方に傾斜し且つ横断面が円弧状を呈する前記上の傾斜串案内溝１５を設けると共に、収容器６の下面側１６に連なるように、内方に向け下方に傾斜し且つ横断面が円弧状を呈する前記下の傾斜串案内溝１７を該上の傾斜串案内溝１５と直線状に連なる如く設けてなる。
【００５５】
かかる構成を有する串処理具１によるときは、前記と同様構成の串受け皿７を前記収容空間５に収容した状態で、図６に示すと同様にして、使用済みの串３を前記串挿入孔１２に挿入させて押し込むことにより、該串３を前記収容空間５に斜めに方向付けして挿入させることができる。そして該串３を、その上端４７が前記上の傾斜串案内溝１５の下端縁４９を外れるように指先で押すことよって該串３を収容空間５に落下させ該収容空間５に収容させ得る。このようにして使用済みの串３を順次収容することにより、各串３は該串受け皿７の延長方向に略揃えられた状態で受面３１に受けられることになる。
【００５６】
本実施例においても、該串受け皿７が、図４（Ｃ）に示すと同様にして、前記収容器６の下端１１の開放端幅Ｌ１よりもその横幅Ｌ２が大きく形成されているため、収容器６を持ち上げたときに串受け皿７が同時に持ち上がる。
【００５７】
図１６は、図１５に示すと同様構成の収容器６の上部分９に、左右の串挿入孔１２，１２間において皿状部６５が形成されてなる串処理具１を示すものである。このようにして形成された皿状部６５は、焼き鳥等の串刺し食品を盛り付けるために利用できる他、串刺し食品を盛り付けた皿を載せるためにも利用できる。
【００５８】
串処理具１が串スタンドの機能を有さない場合、前記串受け皿７の横幅Ｌ２が前記収容器６の下端１１の開放端幅Ｌ１よりも小さいときは、該串処理具１の運搬に際して、例えば図１７に示すように、収容器６の上部分９を下向きにして形成された樋状部６６に串受け皿７を納めて両者を同時に運搬できる。
【００５９】
図１８は、串受け皿７を用いないで構成された串処理具１をその使用状態で示すものであり、皿やプレート等の設置面２５に、収容器６の両下端６７，６７を直接載置した状態を示すものである。このように使用した場合は、串３を、前記と同様にして串挿入孔１２に挿入して収容空間５に収容した場合、該串３は該設置面２５で直接受けられることになる。
【実施例３】
【００６０】
本発明に係る串処理具１を構成する収容器６は、要は、使用済みの串の全体を、一方向に略揃えられた状態で順次収容させ得る収容空間５が内部に設けられたものとして構成されればよいのであり、下端が開放しているか否かや、両端が開放しているか否かは問わない。又、その形態も、串処理具のデザインを考慮して種々に形成でき、その素材も問わない。そして、かかる構成を有する収容器６の上部分９に、串差し食品２の串の端部分１９を挿入させて該串差し食品２を立てた状態に支持する支持孔２０を設けることにより、串刺し食品を立てた状態に盛り付けるための串スタンド機能を有した串処理具１となし得る。その他の実施例を示せば次の通りである。
【００６１】
図１９は、前記串受け皿７の横幅を図４（Ｃ）に示すよりも更に大きく設定した場合を示すものであり、前記のようにして収容器６を持ち上げたときに串受け皿７の下端６９が該収容器６の下端１１から突出しないようになされている。従って、該収容器６を設置面２５に載せた状態において串受け皿７の下端６９が該設置面２５から浮き上がる。
【００６２】
図２０は、前記串受け皿７の横幅Ｌ２を収容器６の下端の開放幅Ｌ１よりも小さく設定してなる串処理具１の他の実施例を示すものであり、この場合は、設置面２５に串受け皿７を残して収容器６が持ち上げられる。そして前記と同様にして串３を、図２０（Ｃ）に示すように、串挿入孔１２を通して収容空間５に落下収容させることができる。
【００６３】
図２１は、収容器６を持ち上げた際に該収容器６と串受け皿７とを同時に持ち上げることのできる串処理具１の他の態様を示すものであり、収容器６の内周面３５の両側部分に、収容器６の軸線方向に延長するガイド溝７０，７０が設けられ、串受け皿７の両縁部分７１，７１を該ガイド溝７０，７０に嵌め入れてスライドできる引き出し方式のものである。該串処理具１にあっては、串受け皿７が収容器６の内周面３５の周方向に回転する恐れがない。
【００６４】
図２２は、串受け皿７が収容器６の周方向に回転して該収容器６から外れる恐れのない串処理具１のその他の実施例を示すものであり、前記串受け皿７の両側縁部分５８，５８の下面５９，５９を支持する係合突部７５としての回り止め係合部５０が該収容器６の内周面３５の下部５４に設けられている。このように係合突部７５を設ける場合は、後片付けに際して、図２２（Ａ）に示すように、収容器６と串受け皿７とが設置面に設置された状態から該収容器６を持ち上げると、該串受け皿７が回転したとしても、該串受け皿７の側縁部分５８は図２２（Ｂ）（Ｃ）に示すように、両側の係合突部７５，７５によって下方から支持されるため、運搬時における揺動によって串受け皿７が回転して落下する恐れがない。該串受け皿７を収容器６から取り外すに際しては、例えば図１について説明したと同様にして、収容器６をその軸線方向Ｆで移動させたり、図２２（Ｄ）に示すように、該串受け皿７を収容器６の周方向に稍回転させて串受け皿７の側縁部分５８と前記係合突部７５との係合状態を解除して容易に行うことができる。このように両者を分離できることから、収容された串の始末が簡便であると共に、収容器６と串受け皿７の洗浄が容易となる。
【００６５】
図２３に示す串処理具１は、収容器６が、図２３（Ａ）に示すように、上端が開放した有底の容体７６と、該容体７６の上端に被る蓋体７７とから構成されており、該蓋体７７が着脱可能に閉蓋された状態で図２３（Ｂ）に示す収容器６が構成されるようになされている。該収容器６は、使用済みの串３の全体を一方向に略揃えられた状態で順次収容させ得る閉じた収容空間５が内部に設けられている。そして、閉蓋状態にある蓋体７７の上側部分としての上部分９の、例えば長手中央線沿った左右両側に位置させて、前記と同様構成の串挿入孔１２，１２が設けられている。該串挿入孔１２に、使用済みの串３を挿入して落下させることにより、該串３は、一方向に略揃えられた状態で該収容空間５に順次収容されることになる。該閉蓋状態の蓋体７７は、前記容体７６の長さ方向の両端から突出した突出部７８，７８（図２３（Ｂ））に指先を掛けて持ち上げることにより、該容体７６から取り外すことができ、これによって、容体７６内に収容されている串３を廃棄できる。
【００６６】
図２４に示す串処理具１は、その長さ方向の両端に節７９が存するように竹材を輪切りして構成された図２４（Ａ）に示す収容器６の内部に、図２４（Ｂ）（Ｃ）に示すように、閉じた空間としての前記収容空間５が設けられている。その上部分９には、左右両側に位置させて、前記と同様構成の串挿入孔１２，１２が設けられている。かかる構成を有する収容器６の下面部は、図２４（Ａ）（Ｂ）に示すように、該収容器６が設置面２５を転がらないようにするため水平面８０に形成されている。該収容器６が転がらないように、適宜の台座で支持することにしてもよい。
【００６７】
そして図２３〜２４に示す串処理具１は、串スタンド機能をも有しており、前記上部分９に串３の支持孔２０が設けられている。又、図２３や図２４に示すように構成する場合は、収容器６が、前記収容空間５を形成すると同時に、串を受ける串受け部８１としても機能することになる。
【００６８】
図２５〜２７に示す串処理具１は、前記した竹材以外の素材、例えば合成樹脂製や焼物製とされており、上面部９がフラットに形成され、該上面部９の、例えば長手中央線上の左右両側に位置させて、前記と同様構成の串挿入孔１２，１２が設けられている。又、該上面部９に前記支持孔２０が設けられている。図２５は、収容器６が直方体状に形成された場合であり、図２６〜２７は、横断面が台形状に形成された収容器６を具える串処理具１を示す。
【００６９】
図２８は串挿入孔１２のその他の態様を示すものであり、収容器６の上部分９に、該上部分９を斜めに貫通するように設けられている。該串挿入孔１２は、前記実施例に示す場合とは異なり、上下方向に貫通する貫通孔２６を具えておらず、上下の傾斜串案内溝１５，１７のみで構成されており、該上の傾斜串案内溝１５の溝底４３の下端縁８２の真上に、該下の傾斜串案内溝１７の溝底４１の上端縁８３が存するため、該串挿入孔１２の下側部分８５にまで指先を挿入させにくい場合がある。このような場合は、該串挿入孔１２に挿入させた串３の上端４７を指で下方向に静かに押して収容空間５に落下させる操作はしにくいが、該上端４７が串挿入孔１２に達した後に該上端４７を下方に向けて指で軽く弾くようにすれば、該串３を該収容空間５に落下させることができる。
【００７０】
なお、図２９に示すように、下の傾斜串案内溝１７の上端縁８３が、上の傾斜串案内溝１５の下端縁８２の溝底４３の下端縁８２の真上から内方に稍位置ずれした状態となるように下の傾斜串案内溝１７を設ける場合は、前記貫通孔２６を形成した場合と同様に大きく形成されることになり、串３の挿入落下操作は容易となる。この点、貫通孔２６を具える前記串挿入孔１２によるときは、串挿入孔１２を殊更大きくすることなく、前記したように、串挿入孔１２に挿入させた串３の上端４７を指で下方向に静かに押せば、該串３を自ずから収容空間５に落下させ得る利点がある。
【００７１】
本発明に係る串処理具１を構成する収容器６は、串挿入孔１２を通して挿入した串３を収容空間５に落下状態に収容させ得る限り、上部分９が水平に形成されるとは限らず、例えば図３０〜３３に示すように傾斜状態に形成されることもある。その他、該上部分９の形態を含む収容器６の形態は、そのデザイン性を考慮して各種に構成され得る。
【実施例４】
【００７２】
本発明は、前記実施例で示したものに限定されるものでは決してなく、「特許請求の範囲」の記載内で種々の設計変更が可能であることはいうまでもない。その一例を挙げれば次のようである。
【００７３】
(1) 前記収容器６を、竹材を半割り筒状にカットして形成する場合、そのカット部位は、例えば、その直径の４０〜７０％程度に設定できる。４０〜７０％程度の部分が収容器６を構成する。
【００７４】
(2) 前記収容器６の上部分９に設ける串挿入孔１２は、１個乃至複数個設けるものであり、前記実施例においては上部分９の左右両側に２個設けているが、１個でもよく、その設ける部位も、上部分９の端部側には特定されない。又、上部分９の左右に設ける場合も、例えば図３４に示すように、上部分９の幅方向で逆方向に位置をずらして設けることもある。
【００７５】
(3) 串処理具１が、使用済みの串を受ける串受け皿７を具える如く構成される場合、該串受け皿７は、例えば図３５に示すように、収容器６の下端の開放部を被うように底板８６を取り付けたり、或いはラップ等のフィルム状シート８７を、該開放部を被うように貼り付けることによって形成してもよい。
【００７６】
(4) 前記串挿入孔１２が有する前記上の傾斜串案内溝１５と前記下の傾斜串案内溝１７は、串３を、より水平に近い傾斜状態にして挿入させ得るようにするためのものであるが、このような目的を達成できる限り、上下の傾斜串案内溝１５，１７が正確に直線状に連なるとは限らない。
【００７７】
(5) 前記支持孔２０は、図３（Ｂ）に示すように、収容器６の上部分９の下端部分８９を若干残して形成するのが好ましいが、図３７に示すように、貫通した孔９０を形成した後、その下端９１を、該上部分９の下面９２に粘着テープ等のカバー片９３を貼着することによって塞いで形成することもできる。
【００７８】
或いは該上面部９に、例えば図３８に示すように、下端９５に向かうほど小径となる貫通状態の支持孔２０を設け、該支持孔２０の下端９５から突出しないように串３の端部分１９を挿入させて該串３を立てた状態に支持するようにしてもよい。
【００７９】
又該支持孔２０は、垂直状態に形成される他、若干傾斜した状態に設けられることもある。この場合は、串刺し食品２が若干傾いた状態で支持されることになる。
【００８０】
(6) 串刺しの食品に用いられる串は、串が刺し込まれる食品に応じて、竹串だけでなく木製やプラスチック製等の串も含まれる。
【００８１】
(7) 前記回り止め係合部５０は、前記串受け皿７が収容器６内で回転して落下する恐れがなければ省略してもよい。
【００８２】
(8) 本発明に係る串処理具１は、基本的には、使用済みの串を収容するために用いられるものであるが、爪楊枝を収容してもよい。又、串挿入孔の直径を比較的大きく設定すれば、図３９に示すように、使用済みの割り箸９６を前記と同様にして収容することもできる他、図４０に示すような、串の摘み部９７が幅広に形成された串３を前記と同様にして収容することもできる。
【図面の簡単な説明】
【００８３】
【図１】本発明に係る串処理具をその設置状態で示す斜視図と、串挿入孔の形成要領を説明する断面図である。
【図２】本発明に係る串処理具を示す分解斜視図である。
【図３】串刺し食品を立てて支持した串処理具の使用状態を示す斜視図と、串刺し食品の串を立てる支持孔と串を立てた状態を示す断面図である。
【図４】串受け皿を具える串処理具を設置面に載せた状態を示す断面図と、串受け皿を具える串処理具を持ち上げた状態を示す断面図である。
【図５】収容器を製造するための竹材からなる円筒体を示す斜視図である。
【図６】串処理具に串を収容する要領を説明する断面図である。
【図７】串を順次収容する串収容状態を説明する断面図である。
【図８】多数本の串が串受け皿に載った状態を示す斜視図である。
【図９】串受け皿の側縁部分が回り止め係合部と係合して該串受け皿の回転が阻止された状態を示す断面図と、両者の係合状態を解除して串受け皿を取り外す要領を説明する断面図である。
【図１０】収容器と串受け皿とを用いて串刺し食品を包装して販売する販売形態を示す断面図である。
【図１１】上下に貫通した孔のみで串挿入孔を形成するとした場合の問題点を説明する断面図である。
【図１２】上下に貫通した孔と上の傾斜串案内溝とで串挿入孔を形成するとした場合の問題点を説明する断面図である。
【図１３】上下に貫通した孔と下の傾斜串案内溝とで串挿入孔を形成するとした場合の問題点を説明する断面図である。
【図１４】串挿入孔を、収容器の長さ方向に延長する長い溝状に形成するとした場合の問題点を説明する断面図である。
【図１５】串スタンドとしての機能を有さない串処理具をその使用状態で示す斜視図と、串挿入孔を形成する工程を説明する断面図である。
【図１６】収容器の上部分に皿状部が形成されてなる串処理具を示す斜視図である。
【図１７】収容器の収容空間に串受け皿を納めた状態を示す断面図である。
【図１８】串受け皿を用いないで構成された串処理具をその使用状態で示す断面図である。
【図１９】収容器を持ち上げたときに串受け皿が同時に持ち上がるようになされた串処理具の他の実施例を示す断面図である。
【図２０】串受け皿の横幅が収容器の下端の開放幅よりも小さく設定されてなる、串スタンド機能を有する串処理具を示す斜視図と、その使用状態を示す断面図である。
【図２１】串受け皿をスライド可能とした引き出し方式の串処理具をその使用状態で示す断面図である。
【図２２】収容器を持ち上げた際に串受け皿が持ち上がるようになされた串処理具における、串受け皿の回転防止作用と、串受け皿の取り外し要領を説明する断面図である。
【図２３】容体の上端を閉蓋する蓋体を開蓋可能とした収容器を具える串処理具を示す斜視図と、その使用状態を示す断面図である。
【図２４】竹材を輪切りして構成された収容器を用いる串処理具の斜視図と、その使用状態を示す断面図である。
【図２５】上面部がフラットに形成された収容器を具える串処理具を示す斜視図と、その使用状態を示す断面図である。
【図２６】横断面が台形状に形成された収容器を具える串処理具を示す断面図である。
【図２７】横断面が台形状に形成された収容器を具える串処理具のその他の実施例を示す断面図である。
【図２８】上部分を斜めに貫通するように串挿入孔が設けられてなる収容器を具える串処理具のその他の実施例をその使用状態で示す断面図である。
【図２９】上部分を斜めに貫通するように設けられた串挿入孔の他の態様を示す断面図である。
【図３０】上部分が一方向に傾斜する収容器を具える串処理具を設置状態で示す断面図である。
【図３１】上部分が山型に形成された収容器を具える串処理具を設置状態で示す断面図である。
【図３２】上部分が緩いＶ字状に形成された収容器を具える串処理具を設置状態で示す断面図である。
【図３３】上部分が下に凸に緩く湾曲する収容器を具えた串処理具を設置状態で示す断面図である。
【図３４】上部分の左右両側に設けられた串挿入孔が該上部分の幅方向で逆方向に位置をずらして設けられた収容器を具える串処理具をその設置状態で示す斜視図である。
【図３５】収容器の下端の開放部を被うように底板を取り付けて串受け皿を形成してなる串処理具を示す断面図である。
【図３６】収容器の下端の開放部を被うようにフィルム状シートを貼り付けて串受け皿を形成してなる串処理具を示す断面図である。
【図３７】支持孔の他の態様を、その使用状態と併せて示す断面図である。
【図３８】支持孔のその他の態様を、その使用状態と併せて示す断面図である。
【図３９】串処理具に使用済みの割り箸を収容する場合を説明する断面図である。
【図４０】串の他の態様を示す正面図である。
【符号の説明】
【００８４】
１  串処理具
２  串刺し食品
３  串
５  収容空間
６  収容器
７  串受け皿
９  上部分
１０  側壁部分
１１  下端
１２  串挿入孔
１３  収容器の上面側
１５  上の傾斜串案内溝
１６  収容器の下面側
１７  下の傾斜串案内溝
１９  串の端部分
２０  支持孔
２５  設置面
２６  貫通孔
３１  受面
３２  傾斜面
３４  内周面
３６  内周面の側部分
３８  串受け皿の下端部分
４１  下の傾斜串案内溝の溝底
４７  串の上端
４９  上の傾斜串案内溝の下端縁
５０  回り止め係合部                                                            ５１  係合部材
５２  孔部
５３  軸体
５５  摘まみ片
７５  係合突部
【図１】
2010132389.tif 000003
【図２】
2010132389.tif 000004
【図３】
2010132389.tif 000005
【図４】
2010132389.tif 000006
【図５】
2010132389.tif 000007
【図６】
2010132389.tif 000008
【図７】
2010132389.tif 000009
【図８】
2010132389.tif 000010
【図９】
2010132389.tif 000011
【図１０】
2010132389.tif 000012
【図１１】
2010132389.tif 000013
【図１２】
2010132389.tif 000014
【図１３】
2010132389.tif 000015
【図１４】
2010132389.tif 000016
【図１５】
2010132389.tif 000017
【図１６】
2010132389.tif 000018
【図１７】
2010132389.tif 000019
【図１８】
2010132389.tif 000020
【図１９】
2010132389.tif 000021
【図２０】
2010132389.tif 000022
【図２１】
2010132389.tif 000023
【図２２】
2010132389.tif 000024
【図２３】
2010132389.tif 000025
【図２４】
2010132389.tif 000026
【図２５】
2010132389.tif 000027
【図２６】
2010132389.tif 000028
【図２７】
2010132389.tif 000029
【図２８】
2010132389.tif 000030
【図２９】
2010132389.tif 000031
【図３０】
2010132389.tif 000032
【図３１】
2010132389.tif 000033
【図３２】
2010132389.tif 000034
【図３３】
2010132389.tif 000035
【図３４】
2010132389.tif 000036
【図３５】
2010132389.tif 000037
【図３６】
2010132389.tif 000038
【図３７】
2010132389.tif 000039
【図３８】
2010132389.tif 000040
【図３９】
2010132389.tif 000041
【図４０】
2010132389.tif 000042